(57)【要約】【課題】ＯＣＡＰ機能搭載のケーブル放送受信機において、ＯＣＡＰ機能を使っていないときに電力の削減を可能にする。【解決手段】ＲＦ信号を分配するスプリッタと、ＦＤＣチューナ部と、ＦＤＣ復調部と、ＲＤＣ変調部と、ＤＳＧ部と、ＦＤＣチューナ部、ＦＤＣ復調部及びＲＤＣ変調部への電源の供給を制御するＦＤＣ／ＲＤＣ電源制御部と、ＤＳＧ部への電源の供給を制御するＤＳＧ電源制御部とを備え、マイコン部は、外部入力の切替信号またはＯＣＡＰアプリケーションの動作信号が入力された場合であって、ケーブル放送受信機がＯＣＡＰアプリケーションが動作していない状態であると判断した場合は、ＦＤＣ／ＲＤＣ電源制御部及びＤＳＧ電源制御部に電源供給を停止させる。【選択図】図１
2010087735.tif 000002
【特許請求の範囲】
【請求項１】
ヘッドエンドとデータ送受信を行なうケーブル放送受信機であって、
前記ヘッドエンドから送信された入力信号を受信し、受信した前記入力信号を分配するスプリッタと、
分配された前記入力信号に含まれるＦＤＣ信号をＱＰＳＫ変調して出力するＦＤＣチューナ部と、
出力された前記ＱＰＳＫ変調された信号を復調するＦＤＣ復調部と、
前記ヘッドエンドに出力する出力信号をＱＰＳＫ変調するＲＤＣ変調部と、
分配された前記入力信号を変復調するケーブルモデムを内蔵するＤＳＧ部と、
前記ＦＤＣチューナ部、前記ＦＤＣ復調部及び前記ＲＤＣ変調部へ電源供給を行なうＦＤＣ／ＲＤＣ電源制御部と、
前記ＤＳＧ部へ電源供給を行なうＤＳＧ電源制御部と、
ケーブル放送受信機の動作状態に応じて前記ＦＤＣ／ＲＤＣ電源制御部及び前記ＤＳＧ電源制御部を制御するマイコン部と、を備え、
前記マイコン部は、外部入力の切替信号またはＯＣＡＰアプリケーションの動作信号が入力された場合であって、前記動作状態としてＯＣＡＰアプリケーションが動作していない状態であると判断した場合は、前記ＦＤＣ／ＲＤＣ電源制御部及び前記ＤＳＧ電源制御部に電源供給を停止させる、ことを特徴とするケーブル放送受信機。
【発明の詳細な説明】
【技術分野】
【０００１】
本発明はケーブル放送受信機に関し、更に詳しくはケーブル放送受信機の状態によって電源のＯＮ／ＯＦＦ制御を行うことが可能なケーブル放送受信機における電源制御方法に関するものである。
【背景技術】
【０００２】
一般に、北米のＯＣＡＰ（Ｏｐｅｎ  Ｃａｂｌｅ  Ａｐｐｌｉｃａｔｉｏｎ  Ｐｌａｔｆｏｒｍ）と呼ばれるケーブル放送の双方向通信に対応した受信機では、ヘッドエンドとのデータ通信のためにケーブルモデムであるＤＯＣＳＩＳ／ＤＳＧ（Ｄａｔａ−Ｏｖｅｒ−Ｃａｂｌｅ  Ｓｅｒｖｉｃｅ  ＩｎｔｅＲＦａｃｅ  Ｓｐｅｃｉｆｉｃａｔｉｏｎ／ＤＯＣＳＩＳ  Ｓｅｔ−ｔｏｐ  Ｇａｔｅｗａｙ、  以下ＤＳＧと称す）とＦＤＣ／ＲＤＣ（Ｆｏｒｗａｒｄ  Ｄａｔａ  Ｃｈａｎｎｅｌ／Ｒｅｖｅｒｓｅ  Ｄａｔａ  Ｃｈａｎｎｅｌ、以下ＦＤＣ／ＲＤＣと称す）との両方に対応する回路を搭載する必要がある。
【０００３】
ＤＳＧとＦＤＣ／ＲＤＣは機能としては同じ下りのデータ情報を受信し、またヘッドエンドに対して上りの信号を送出するためのものであり、各ＭＳＯ（Ｍｕｌｔｉｐｌｅ  Ｓｙｓｔｅｍ  Ｏｐｅｒａｔｏｒ）がどちらを使うかを決定する。
【０００４】
この双方向通信はケーブルカード（以下、ＣａｂｌｅＣＡＲＤと称す）と呼ばれるＣＡＳ（Ｃｏｎｄｉｔｉｏｎａｌ  Ａｃｃｅｓｓ  Ｓｙｓｔｅｍ）制御用のカードを利用して行われ、ヘッドエンドよりＯＣＡＰアプリと呼ばれるソフトウェアをダウンロードして各種アプリ機能を実現させる。
【０００５】
そこで、特許文献１では、ＣａｂｌｅＣＡＲＤが挿入されていない場合、ＤＳＧ、ＦＤＣ／ＲＤＣの回路への電源供給を停止する仕組みを考案している。また、特許文献２ではＣａｂｌｅＣＡＲＤが挿入されたとき、カード内の通信に使用する経路の情報を取得することにより、ＤＳＧ、ＦＤＣ／ＲＤＣの双方向通信に使用しない側の回路への電源供給を停止する仕組みを考案して、電力の削減を行う仕組みを考案している。
【特許文献１】米国特許出願公開第２００５／０２４０９７７号明細書
【特許文献２】米国特許出願公開第２００７／０１２４７９０号明細書
【発明の開示】
【発明が解決しようとする課題】
【０００６】
しかしながら、上記従来の構成では、ＳＴＢ（Ｓｅｔ  Ｔｏｐ  Ｂｏｘ）などのような受信するだけの受信機では問題ないが、ＯＣＡＰ機能を搭載したＴＶのようなＯＣＡＰ以外の機能を搭載した受信機では、ＣａｂｌｅＣＡＲＤが挿入されていてもＯＣＡＰアプリを動作させず、外部入力などを使う場合があるため、そのときにはＤＳＧやＦＤＣ／ＲＤＣ回路に電源が供給されてしまい不必要に電力を消費してしまうという問題があった。
【０００７】
また上記従来の構成では必ずＣａｂｌｅＣＡＲＤが制御のトリガとなっていたが、将来CAS制御がＣａｂｌｅＣＡＲＤではなくソフトウェア制御であるＤＣＡＳ（Ｄｏｗｎｌｏａｄａｂｌｅ  ＣＡＳ）になってしまうと対応できなくなる問題があった。
【０００８】
本発明は、上記従来の課題を解決するもので、ＣａｂｌｅＣＡＲＤが挿入されているがＯＣＡＰ機能を使用していない場合の電力の削減を行うことが可能なケーブル放送受信機を提供することを目的とする。
【０００９】
またＣａｂｌｅＣＡＲＤの挿入の有無によらない電力制御方法を提供することを目的とする。
【課題を解決するための手段】
【００１０】
前記従来の課題を解決するために、本発明のケーブル放送受信機は、ヘッドエンドとデータ送受信を行なうケーブル放送受信機であって、ヘッドエンドから送信された入力信号を受信し、受信した入力信号を分配するスプリッタと、分配された入力信号に含まれるＦＤＣ信号をＱＰＳＫ変調して出力するＦＤＣチューナ部と、出力されたＱＰＳＫ変調された信号を復調するＦＤＣ復調部と、ヘッドエンドに出力する出力信号をＱＰＳＫ変調するＲＤＣ変調部と、分配された入力信号を変復調するケーブルモデムを内蔵するＤＳＧ部と、ＦＤＣチューナ部、ＦＤＣ復調部及びＲＤＣ変調部へ電源供給を行なうＦＤＣ／ＲＤＣ電源制御部と、ＤＳＧ部へ電源供給を行なうＤＳＧ電源制御部と、ケーブル放送受信機の動作状態に応じてＦＤＣ／ＲＤＣ電源制御部及びＤＳＧ電源制御部を制御するマイコン部と、を備え、マイコン部は、外部入力の切替信号またはＯＣＡＰアプリケーションの動作信号が入力された場合であって、動作状態としてＯＣＡＰアプリケーションが動作していない状態であると判断した場合は、ＦＤＣ／ＲＤＣ電源制御部及びＤＳＧ電源制御部に電源供給を停止させる、ことを特徴とする。
【００１１】
本構成によって、マイコン部が、外部入力機能がＯＮになっているかＯＣＡＰアプリが動作しているかを判別し、ＯＣＡＰアプリが動作していない場合はＤＳＧ電源制御部、ＦＤＣ／ＲＤＣ電源制御部に信号を送り、電源の供給を停止することが可能となる。
【００１２】
また、片方向通信にしか対応していない場合は、ＤＳＧ側の電源供給を停止する。
【発明の効果】
【００１３】
本発明を採用することにより、ＯＣＡＰ機能搭載の受信機において、ＯＣＡＰ機能を使っていない場合の受信機の電力の削減が可能となる。
【発明を実施するための最良の形態】
【００１４】
以下、本発明を実施するための最良の形態について、図面を参照しながら説明する。
【００１５】
本発明の基本の構成ブロック図を図１に示し、それらを具体的に実施の形態で説明していく。
【００１６】
図１において、本発明のケーブル放送受信機（以下、受信機と称す）は、ＲＦスプリッタ１００と、ＦＤＣチューナ部１０１と、ＦＤＣ復調部１０２と、ＲＤＣ変調部１０３と、ＦＤＣ／ＲＤＣ電源制御部１０４と、ＤＳＧ部１０５と、ＤＳＧ電源制御部１０６と、スイッチ１０７と、マイコン部１０８と、外部入力切替信号受信部１０９と、ＯＣＡＰアプリ動作信号受信部１１０によって構成されている。
【００１７】
ＲＦスプリッタ１００は、受信機に入力されたＲＦ信号をＦＤＣチューナ部１０１と、ＤＳＧ部１０５へ分配する。ＦＤＣチューナ部１０１はＦＤＣ信号をIF信号へとミキシングし、ＦＤＣ復調部１０２でQPSK信号を復調し、マイコン部１０８やＣａｂｌｅＣＡＲＤへと信号を送信する。またマイコン部１０８やＣａｂｌｅＣＡＲＤからの制御により、ＲＤＣ変調部１０３ではＲＤＣ用にQPSK信号に変調してヘッドエンドへと信号を送出する。ＦＤＣ／ＲＤＣ電源制御部１０４はＦＤＣチューナ部１０１、ＦＤＣ復調部１０２、ＲＤＣ変調部１０３への電源の供給を制御する。
【００１８】
ＤＳＧ部１０５は、ＲＦスプリッタ１００からＲＦ信号を受信して変復調を行うケーブルモデムを内蔵している。ＤＳＧ電源制御部１０６はＤＳＧ部１０５への電源の供給を制御する。
【００１９】
スイッチ部１０７は、ＲＤＣ変調部１０３からの信号とＤＳＧ部１０５からの上り信号の切り替えを行う。
【００２０】
外部入力切替信号受信部１０９は、受信機に対して外部入力の切り替え（外部入力の選択）を行う際の例えばリモコン（図示せず）からの外部入力切替信号を受信し、マイコン部１０８へ送出する。同様に、例えばリモコンからＯＣＡＰアプリ動作信号受信部１１０はＯＣＡＰアプリが動作しているかどうかを通知する信号を受信し、マイコン部１０８へ送出する。
【００２１】
マイコン部１０８は外部入力切替信号受信部１０９からの外部入力切替信号、ＯＣＡＰアプリ動作信号受信部１１０からのＯＣＡＰアプリ動作信号を受けて、現在の受信機の状態を判断し、外部入力状態でＯＣＡＰアプリが動作していない場合はＦＤＣ／ＲＤＣ電源制御部１０４、ＤＳＧ電源制御部１０６に信号を送出し、ＦＤＣチューナ部１０１、ＦＤＣ復調部１０２、ＲＤＣ変調部１０３、ＤＳＧ部１０５への電源の供給を停止する。
【００２２】
（実施の形態１）
図２は、本発明の実施の形態１における構成ブロック図である。この実施の形態１においては図１のマイコン部２００でＯＣＡＰアプリが動作しているかどうかを判断させることとし、外部入力切替信号受信部１０９はリモコン信号受信部２０１と、コントロールパネルボタン信号受信部２０２で実現させる。またＯＣＡＰアプリ動作信号受信部１１０も同様にリモコン信号受信部２０１で実現させる。
【００２３】
図２において、本実施の形態１の受信機は、ＲＦスプリッタ１００と、ＦＤＣチューナ部１０１と、ＦＤＣ復調部１０２と、ＲＤＣ変調部１０３と、ＦＤＣ／ＲＤＣ電源制御部１０４と、ＤＳＧ部１０５と、ＤＳＧ電源制御部１０６と、スイッチ１０７と、マイコン部２００と、リモコン信号受信部２０１と、コンパネボタン信号受信部２０２によって構成されている。ここで、ＲＦスプリッタ１００と、ＦＤＣチューナ部１０１と、ＦＤＣ復調部１０２と、ＲＤＣ変調部１０３と、ＦＤＣ／ＲＤＣ電源制御部１０４と、ＤＳＧ部１０５と、ＤＳＧ電源制御部１０６と、スイッチ１０７は図１と同機能を有するため説明は省略し、図１と異なる構成について以下に説明する。
【００２４】
リモコン信号受信部２０１と、コンパネ（コントロールパネル）ボタン信号受信部２０２は、リモコンやコンパネからの信号を受信・解析しマイコン部２００へと信号を出力する。特にここで想定されているのは、例えばＴＶのように受信機が外部入力端子を多く備えているときの外部入力端子の切り替え信号や、ＯＣＡＰアプリのダウンロード操作の受付信号などを受信し、マイコン部２００へと出力することである。
【００２５】
マイコン部２００はリモコン信号受信部２０１や、コンパネボタン信号受信部２０２からの信号によって、現在の外部入力として何が選択されたかや、ＯＣＡＰアプリダウンロードなどが実行されたかなどがわかる。そしてその状況によってＦＤＣ／ＲＤＣ電源制御１０４とＤＳＧ電源制御１０６の制御を行う。
【００２６】
次に、本発明の実施の形態１の受信機の電源制御方法のフローチャートを図３に示す。まず、マイコン部２００が、リモコン信号受信部２０１や、コンパネボタン信号受信部２０２からの信号を受信する（ＳＴ３００）。
【００２７】
次にマイコン部２００は現在受信機においてＯＣＡＰアプリが動作しているかどうかを判断する（ＳＴ３０１）。
【００２８】
ステップＳＴ３０１において、ＯＣＡＰアプリが動作している場合には（ＳＴ３０１でＹｅｓ）、リモコンやコンパネから選択された動作を実行する（ＳＴ３０３）。ステップＳＴ３０１において、ＯＣＡＰアプリが動作していない場合には（ＳＴ３０１でＮｏ）、ＦＤＣ／ＲＤＣ電源制御部１０４及びＤＳＧ電源制御部１０６を介して、ＦＤＣチューナ部１０１、ＦＤＣ復調部１０２、ＲＤＣ変調部１０３及びＤＳＧ部１０５への電源供給を停止する（ＳＴ３０２）。それから、リモコンやコンパネから選択された動作を実行する（ＳＴ３０３）。
【００２９】
なお、本実施の形態ではインターフェイスをリモコンやコンパネとして表記しているが、当然タッチパネルやマウスなど別のインターフェイスでも実現してもよい。
【産業上の利用可能性】
【００３０】
本発明にかかる受信機の電力制御方法は、ＯＣＡＰ機能搭載の受信機、例えばＯＣＡＰ対応ＴＶにおいて、ＯＣＡＰ機能を使用していない場合の電力の削減が可能となり、有用である。
【００３１】
また、ケーブル放送のＣＡＳ制御がＣａｂｌｅＣＡＲＤではなくＤＣＡＳになった場合でも、ＯＣＡＰアプリケーションの動作の有無で電源の制御を行うので、電力の削減に対応できることも有用な点である。
【図面の簡単な説明】
【００３２】
【図１】本発明の基本の構成ブロック図
【図２】本発明の実施の形態１における構成ブロック図
【図３】本発明の実施の形態１のフローチャート
【符号の説明】
【００３３】
１００    ＲＦスプリッタ
１０１    ＦＤＣチューナ部
１０２    ＦＤＣ復調部
１０３    ＲＤＣ変調部
１０４    ＦＤＣ／ＲＤＣ電源制御部
１０５    ＤＳＧ部
１０６    ＤＳＧ電源制御部
１０７    スイッチ
１０８    マイコン部
１０９    外部入力切替信号受信部
１１０    ＯＣＡＰアプリ動作信号受信部
２００    マイコン部（ＯＣＡＰアプリ動作判断）
２０１    リモコン信号受信部
２０２    コンパネボタン信号受信部
【図１】
2010087735.tif 000003
【図２】
2010087735.tif 000004
【図３】
2010087735.tif 000005